【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
液体流入口と、液体流出口と、液体流入口に連通すると共に板厚方向に延在する第１貫通穴と液体流出口に連通すると共に板厚方向に延在する第２貫通穴とが形成された第１ディスクと、一方の端面に第１ディスクの第１貫通穴と第２貫通穴とに連通可能な凹部が形成されると共に前記一方の端面を第１ディスクの一方の端面に摺接させた第２ディスクとを備え、第２ディスク径方向外方に閉鎖空間が形成され、第２ディスクが第１ディスクに相対摺動して第２ディスクの前記凹部と第１ディスクの第１貫通穴との重畳の度合いが調整されるように構成されたディスク式バルブであって、第１ディスクと第２ディスクとの摺接面が自己潤滑性を有し、第１貫通穴を第２ディスク径方向外方の閉鎖空間に常時連通させる連通路を備え、第１ディスクの前記一方の端面の第２ディスクとの摺接部に隣接する部位が前記閉鎖空間に接しており、前記連通路は、第１ディスクの前記一方の端面に形成された溝であることを特徴とするディスク式バルブ。
【請求項２】
液体流入口と、液体流出口と、液体流入口に連通すると共に板厚方向に延在する第１貫通穴と液体流出口に連通すると共に板厚方向に延在する第２貫通穴とが形成された第１ディスクと、一方の端面に第１ディスクの第１貫通穴と第２貫通穴とに連通可能な凹部が形成されると共に前記一方の端面を第１ディスクの一方の端面に摺接させた第２ディスクとを備え、第２ディスク径方向外方に閉鎖空間が形成され、第２ディスクが第１ディスクに相対摺動して第２ディスクの前記凹部と第１ディスクの第１貫通穴との重畳の度合いが調整されるように構成されたディスク式バルブであって、第１ディスクと第２ディスクとの摺接面が自己潤滑性を有し、第１貫通穴を第２ディスク径方向外方の閉鎖空間に常時連通させる連通路を備え、第１ディスクの前記一方の端面の第２ディスクとの摺接部に隣接する部位が前記閉鎖空間に接しており、前記連通路は、第１ディスクに形成された第１貫通穴の一部であることを特徴とするディスク式バルブ。
【請求項３】
一方の端面が第２ディスクの他方の端面に摺接する円環状の第３ディスクを備え、第２ディスクは第３ディスクの中央開口を常時覆って第３ディスクに相対摺動し、第２ディスクと第３ディスクとの摺接面は自己潤滑性を有し、第３ディスクの前記一方の端面の第２ディスクとの摺接部に隣接する部位が前記閉鎖空間に接していることを特徴とする請求項１乃至２の何れか１項に記載のディスク式バルブ。
【請求項４】
液体流入口は互いに独立した湯流入口と水流入口とを有し、第１ディスクの第１貫通穴は互いに独立した湯流入口連通穴と水流入口連通穴とを有し、第２ディスクの凹部は第１ディスクの湯流入口連通穴と水流入口連通穴とに連通可能であり、第２ディスクが第１ディスクに相対摺動して、第２ディスクの前記凹部と第１ディスクの湯流入口連通穴との重畳の度合いと、第２ディスクの前記凹部と第１ディスクの水流入口連通穴との重畳の度合いとが調整され、前記連通路は湯流入口連通穴及び／ 又は水流入口連通穴を第２ディスク径方向外方の閉鎖空間に常時連通させることを特徴とする請求項１乃至３の何れか１項に記載のディスク式バルブ。
【手続補正２】
【補正対象書類名】明細書
【補正対象項目名】０００４
【補正方法】変更
【補正の内容】
【０００４】
【課題を解決するための手段】
上記課題を解決するために、本発明においては、液体流入口と、液体流出口と、液体流入口に連通すると共に板厚方向に延在する第１貫通穴と液体流出口に連通すると共に板厚方向に延在する第２貫通穴とが形成された第１ディスクと、一方の端面に第１ディスクの第１貫通穴と第２貫通穴とに連通可能な凹部が形成されると共に前記一方の端面を第１ディスクの一方の端面に摺接させた第２ディスクとを備え、第２ディスク径方向外方に閉鎖空間が形成され、第２ディスクが第１ディスクに相対摺動して第２ディスクの前記凹部と第１ディスクの第１貫通穴との重畳の度合いが調整されるように構成されたディスク式バルブであって、第１ディスクと第２ディスクとの摺接面が自己潤滑性を有し、第１貫通穴を第２ディスク径方向外方の閉鎖空間に常時連通させる連通路を備え、第１ディスクの前記一方の端面の第２ディスクとの摺接部に隣接する部位が前記閉鎖空間に接しており、前記連通路は、第１ディスクの前記一方の端面に形成された溝であることを特徴とするディスク式バルブを提供する。
また、上記課題を解決するために、本発明においては、液体流入口と、液体流出口と、液体流入口に連通すると共に板厚方向に延在する第１貫通穴と液体流出口に連通すると共に板厚方向に延在する第２貫通穴とが形成された第１ディスクと、一方の端面に第１ディスクの第１貫通穴と第２貫通穴とに連通可能な凹部が形成されると共に前記一方の端面を第１ディスクの一方の端面に摺接させた第２ディスクとを備え、第２ディスク径方向外方に閉鎖空間が形成され、第２ディスクが第１ディスクに相対摺動して第２ディスクの前記凹部と第１ディスクの第１貫通穴との重畳の度合いが調整されるように構成されたディスク式バルブであって、第１ディスクと第２ディスクとの摺接面が自己潤滑性を有し、第１貫通穴を第２ディスク径方向外方の閉鎖空間に常時連通させる連通路を備え、第１ディスクの前記一方の端面の第２ディスクとの摺接部に隣接する部位が前記閉鎖空間に接しており、前記連通路は、第１ディスクに形成された第１貫通穴の一部であることを特徴とするディスク式バルブを提供する。
本発明に係るディスク式バルブにおいては、第１ディスクと第２ディスクとの摺接面が自己潤滑性を有しているので、当該摺接面を潤滑するためのグリースを必要としない。従って、吐出水へのグリースの混入が抑制される。
前記摺接面の自己潤滑性は、前記摺接面に水膜が形成されることにより発現する。本発明に係るディスク式バルブにおいては、連通路を介して第１貫通穴に常時連通する第２ディスク径方向外方の閉鎖空間が常時満水状態にあるので、第１ディスクの一方の端面の前記閉鎖空間に接する部分は常時接水している。従って、第２ディスクが第１ディスクに相対摺動するのと同時に、第１ディスクと第２ディスクとの摺接面に水膜が形成され、前記摺接面の自己潤滑性が発現する。
ディスク式バルブが長期に亘って止水状態にあると、前記摺接面に形成された水膜が乾燥して減少する。従って、第２ディスクを第１ディスクに相対摺動させる際の始動時に、摺接面の水膜不足で前記相対摺動が困難になる可能性がある。本発明に係るディスク式バルブにおいては、以下の理由で係る困難を生じない。第１ディスクは一次圧により第２ディスクに常時押し付けられている。本発明に係るディスク式バルブにおいては、第１ディスクの一方の端面の前記閉鎖空間に接する部分に一次圧が常時加わり、当該一次圧は第１ディスクを第２ディスクから引き離す方向に作用するので、第１ディスクと第２ディスクとの摺接面の面圧は低い。従って、第２ディスクを第１ディスクに相対摺動させる際の始動時に、仮に摺接面が水膜不足となっていても、第２ディスクは第１ディスクに容易に相対摺動できる。
第２ディスクを第１ディスクに対して容易に始動でき、始動と同時に両者の摺接面に水膜が形成されて自己潤滑性が発現するので、本発明に係るディスク式バルブにおいては長期に亘って良好な操作性が維持される。
【手続補正３】
【補正対象書類名】明細書
【補正対象項目名】０００５
【補正方法】変更
【補正の内容】
【０００５】
前記連通路は、第１ディスクの前記一方の端面に形成された溝、または、第１ディスクに形成された第１貫通穴の一部である。
第１ディスクの前記一方の端面に形成された溝を介して第１貫通穴を前記閉鎖空間に常時連通させても良く、或いは、第１貫通穴の一部を前記閉鎖空間に直接常時連通させても良い。